(57)【要約】【課題】田面の種籾が播かれた部分に貝類が侵入し難いようにする水田への水供給方法を得る。【解決手段】壁部材８ｂにより水田とは隔離されて田面１よりも上方に突出する貯水部８を水田内に設置して、畦３の外側に位置する水路９から取水路１０を介して貯水部８に水を供給し、田面１よりも高い位置に位置する貯水部８の部分から溢れた水が水田に供給されるようにする。【選択図】図２
2014064532.tif 000002
【特許請求の範囲】
【請求項１】
壁部材により水田とは隔離されて田面よりも上方に突出する貯水部を水田内に設置して、畦の外側に位置する水路から取水路を介して前記貯水部に水を供給し、
田面よりも高い位置に位置する前記貯水部の部分から溢れた水が水田に供給されるようにする水田への水供給方法。
【請求項２】
前記貯水部の天井部分に開口部を形成して、
前記貯水部から水が溢れる部分を前記開口部としている請求項１に記載の水田への水供給方法。
【請求項３】
貝類が前記貯水部から出て行くのを阻止する阻止体を、前記貯水部から水が溢れる部分に設置しておく請求項１又は２に記載の水田への水供給方法。
【請求項４】
前記貯水部に貝類駆除用の薬剤を入れておく請求項１〜３のうちのいずれか一つに記載の水田への水供給方法。
【請求項５】
貝類が前記取水路から前記貯水部に入るのを阻止する阻止体を、前記取水路に設置しておく請求項１〜４のうちのいずれか一つに記載の水田への水供給方法。
【請求項６】
前記貯水部を畦際に設置しておき、
前記貯水部に対して前記取水路とは反対側の水田の部分に、前記取水路から前記貯水部に供給される水の方向と交差する方向に沿って田面から上方に突出するように、壁体を設置しておく請求項１〜５のうちのいずれか一つに記載の水田への水供給方法。
【請求項７】
前記壁体を前記貯水部から畦に沿って延出しておき、前記貯水部から溢れた水が前記壁体と畦との間を畦に沿って流れて、前記壁体の延出端部から水田に供給されるようにする請求項６に記載の水田への水供給方法。
【請求項８】
前記壁体において前記貯水部に隣接する部分から前記壁体の延出端部側に離れた部分に、前記貯水部から溢れて前記壁体と畦との間を畦に沿って流れる水を水田に供給する排水口を設置しておき、貝類が前記排水口から水田に出て行くのを阻止する阻止体を、前記排水口に設置しておく請求項７に記載の水田への水供給方法。
【請求項９】
前記壁体と畦との間の田面を、水田の中央側の田面よりも低くなるようにしておく請求項７又は８に記載の水田への水供給方法。
【請求項１０】
前記壁体の延出端部を水田の明渠又は排水用の溝に近接させておく請求項７，８，９のうちのいずれか一つに記載の水田への水供給方法。
【請求項１１】
貝類が前記壁体と畦との間から水田に入るのを阻止する阻止体を、前記壁体の延出端部に設置しておく請求項７〜１０のうちのいずれか一つに記載の水田への水供給方法。
【発明の詳細な説明】
【技術分野】
【０００１】
本発明は、水田に水を供給する際において、貝類の食害を避けることができる水田への水供給方法に関する。
【背景技術】
【０００２】
例えば直播により稲の栽培を行う場合、水田にかん水（田面の全てが水で覆われるように、水田に十分に水を入れる状態）して、かん水状態において田面を均平化する代掻き作業を行う。次に水田を落水（水田から完全に水を抜くのではなく、田面に僅かに水が残る程度まで水を抜く状態）して、落水状態の水田（田面）に種籾を播くのであり、次に水田にかん水して、かん水状態を維持し、種籾の発芽及び生長を行わせる。
【０００３】
これに対し近年では九州地方や中国、四国地方等の比較的温暖な地域の水田において、根部が水面下に位置する植物を食する貝類（スクミリンゴガイ（通称・ジャンボタニシ））による被害（食害）が増えてきている。
一般に前述のような貝類は、畦の外側に位置する水路から取水路を介して水田に水を供給してかん水する際に、取水路から水田に侵入することが多い。このように貝類が水田に侵入した場合、かん水状態を維持し種籾の発芽及び生長を行わせると、貝類がかん水状態の水田を移動して発芽した芽や少し生長した軟らかい苗を食べてしまうのである。
【０００４】
前述の貝類の食害に対して、特許文献１に開示されているように、薬剤により貝類を駆除することが提案されている。特許文献２に開示されているように、網カゴの中に誘引物質（餌）を入れた捕獲具を水田の中央側の各所に設置して、捕獲具により貝類を捕獲することが提案されている。
【先行技術文献】
【特許文献】
【０００５】
【特許文献１】特開２００５−６０３３９号公報
【特許文献２】実用新案登録第３０７０７４８号
【発明の概要】
【発明が解決しようとする課題】
【０００６】
しかしながら、特許文献１のように薬剤により貝類を駆除する場合、薬剤を多量に使用することは水田の環境保全という面から好ましくない。
特許文献２では貝類を駆除する薬剤を使用しないので、水田の環境保全という面では好ましいのであるが、比較的大きな捕獲具を水田の中央側の各所に設置すると、捕獲具の設置部分に種籾を播くことができない（種籾を播いても捕獲具に邪魔されて種籾が発芽及び生長できない）ことになるので、稲の収量が減少することが考えられる。
本発明は、特許文献１，２とは少し視点を変えて、田面の種籾が播かれた部分に貝類が侵入し難いようにすることにより、特許文献１，２のような貝類の駆除や捕獲を行うことが少なくなる水田への水供給方法を得ることを目的としている。
【課題を解決するための手段】
【０００７】
［Ｉ］
（構成）
本発明の第１特徴は、水田への水供給方法において次のように構成することにある。
壁部材により水田とは隔離されて田面よりも上方に突出する貯水部を水田内に設置して、畦の外側に位置する水路から取水路を介して前記貯水部に水を供給し、
田面よりも高い位置に位置する前記貯水部の部分から溢れた水が水田に供給されるようにする。
【０００８】
（作用及び発明の効果）
一般に水田において貝類は、水が十分にない部分（水深の浅い部分）を嫌がり、水が十分にある部分（水深が深い部分）に集まる習性がある。
本発明の第１特徴によると、水を十分に保持することができる（十分に深い水深を備えることができる）貯水部を用意し、田面よりも上方に突出するように貯水部を水田内に設置しておく。
【０００９】
これにより、畦の外側に位置する水路から取水路を介して貯水部に水を供給する場合、貝類が取水路から侵入しても貝類は取水路から水田に侵入せずに貯水部に入るのであり、田面よりも高い位置に位置する貯水部の部分から溢れた水が水田に供給される。
この場合に、貯水部から水田に水が供給される部分は田面よりも高い位置に位置しており貯水部の水面である点（水深の浅い部分に相当）、及び、貯水部に水が十分にある点（貯水部の水深が十分に深い点）により、貯水部に入った貝類は貯水部から外に出て行き難く、貯水部に残り易い。
【００１０】
前述のように、貝類が貯水部に集まり貯水部から外に出て行き難くなると、貝類を駆除する薬剤を水田の中央側に散布したり、貝類を捕獲する捕獲具を水田の中央側に設置したりする必要が少なくなるので、薬剤の使用量を抑えることができるのであり、捕獲具の設置により稲の収量が減少することが避けられる。
さらに貝類が貯水部に集まると、貯水部に集まった貝類を容易に回収して駆除することができる。貝類を駆除する薬剤を水田に散布するとしても、貯水部に集まった貝類に対して薬剤を容易に散布することができるのであり、少ない薬剤により貝類の駆除が行える。
【００１１】
以上のように、本発明の第１特徴によると、貝類が取水路から侵入しても水田に侵入せずに貯水部に入るようにし、且つ、貯水部に入った貝類が貯水部から外に出で行き難いようにすることにより、貝類が水田の中央側に侵入し難くすることによって、薬剤や捕獲具の使用を抑えながら稲の収量の増加を図ることができる。
【００１２】
［ＩＩ］
（構成）
本発明の第２特徴は、本発明の第１特徴の水田への水供給方法において次のように構成することにある。
前記貯水部の天井部分に開口部を形成して、
前記貯水部から水が溢れる部分を前記開口部としている。
【００１３】
（作用及び発明の効果）
貯水部に入った貝類が仮に貯水部から外に出で行く場合に、貝類は貯留部から水が溢れる部分を出て行き水田に侵入することになる。
本発明の第２特徴によると、貯水部から水が溢れる部分（開口部）が、貯水部の天井部分に形成されて貯水部の最高位置に位置することになるので、貯水部に入った貝類が貯水部から外に出で行く場合、貯水部の最高位置（天井部分）を越えなければならなくなるのであり、貯水部に入った貝類はさらに貯水部から外に出て行き難くなる。
【００１４】
［ＩＩＩ］
（構成）
本発明の第３特徴は、本発明の第１又は第２特徴の水田への水供給方法において次のように構成することにある。
貝類が前記貯水部から出て行くのを阻止する阻止体を、前記貯水部から水が溢れる部分に設置しておく。
【００１５】
（作用及び発明の効果）
前項［ＩＩ］に記載のように、貯水部に入った貝類が仮に貯水部から外に出で行く場合に、貝類は貯水部から水が溢れる部分（貯水部の天井部分の開口部）を出て行き水田に侵入することになる。
本発明の第３特徴によると、例えば網体等の阻止体を貯水部から水が溢れる部分に設置しておくことにより、貯水部に入った貝類はさらに貯水部から外に出て行き難くなる。
【００１６】
［ＩＶ］
（構成）
本発明の第４特徴は、本発明の第１〜第３特徴の水田への水供給方法うちのいずれか一つにおいて次のように構成することある。
前記貯水部に貝類駆除用の薬剤を入れておく。
【００１７】
（作用及び発明の効果）
本発明の第４特徴のように、貯水部に貝類駆除用の薬剤を入れておくと、前項［Ｉ］に記載のように、畦の外側に位置する水路から取水路を介して貯水部に水を供給した際、貝類が取水路から貯水部に入ると、貝類は直ぐに貝類駆除用の薬剤の薬効を受けることになるのであり、貯水部に入った貝類が貯水部から外に出て行こうとする前に、貝類に対して貝類駆除用の薬剤の薬効が働くことになる。
前述のように、貝類に対して貝類駆除用の薬剤の薬効を早期に働かせることにより、貯水部に入った貝類はさらに貯水部から外に出て行き難くなる。
【００１８】
本発明の第４特徴のように、貯水部に貝類駆除用の薬剤を入れておいた場合、貝類駆除用の薬剤は水田に拡散していくことは少なく貯水部に留まっているので、貯水部に必要以上の貝類駆除用の薬剤を入れおく必要はない。これによって、比較的少量の貝類駆除用の薬剤により、貝類の駆除を適切に行うことができる。
【００１９】
［Ｖ］
（構成）
本発明の第５特徴は、本発明の第１〜第４特徴の水田への水供給方法うちのいずれか一つにおいて次のように構成することある。
貝類が前記取水路から前記貯水部に入るのを阻止する阻止体を、前記取水路に設置しておく。
【００２０】
（作用及び発明の効果）
本発明の第５特徴によると、例えば網体等の阻止体を取水路に設置しておくことによって、前項［Ｉ］に記載のように、畦の外側に位置する水路から取水路を介して貯水部に水を供給する際、取水路に設置された阻止体により貝類を止めることができるのであり、取水路に設置された阻止体を通過した貝類が貯水部に入ることになる。これにより、貯水部に入る貝類を少なくすることができるのであり、貯水部から出て水田に侵入する貝類をさらに少なくすることができる。
本発明の第５特徴によると、取水路に設置された阻止体により貝類を止めることに加えて、ゴミ等が取水路から水田に侵入することを、取水路に設置された阻止体により止めることができる。
【００２１】
［ＶＩ］
（構成）
本発明の第６特徴は、本発明の第１〜第５特徴の水田への水供給方法うちのいずれか一つにおいて次のように構成することある。
前記貯水部を畦際に設置しておき、
前記貯水部に対して前記取水路とは反対側の水田の部分に、前記取水路から前記貯水部に供給される水の方向と交差する方向に沿って田面から上方に突出するように、壁体を設置しておく。
【００２２】
（作用及び発明の効果）
貯水部を畦際に設置して、前項［Ｉ］に記載のように、畦の外側に位置する水路から取水路を介して貯水部に水を供給する場合に、取水路から貯水部に入った水が貯水部にあまり滞留せずに、そのままの勢いで貯水部を通過して取水路とは反対側の田面に流れることがある。
この場合、取水路から水田に入った直後の水は比較的低温であることが多いので、このような比較的低温の水が貯水部を通過して田面の苗に直接に当たると、苗の生育に影響を及ぼすことがある。さらに畦の外側に位置する水路から取水路を介して貯水部に水を供給する際に、一部の貝類が水と一緒に貯水部を通過して取水路とは反対側の田面に侵入することがある。
【００２３】
本発明の第６特徴によると、貯水部に対して取水路とは反対側の水田の部分に、取水路から貯水部に供給される水の方向と交差する方向に沿って、田面から上方に突出するように壁体を設置しておくことによって、前述のように畦の外側に位置する水路から取水路を介して貯水部に水を供給する場合、貯水部からの水の勢いを壁体で止めることができるので、貯水部からの水が苗に直接に当たるような状態を防止することができる。
【００２４】
さらに一部の貝類が貯水部を通過して取水路とは反対側の田面に侵入しようとしても、壁体により貝類を畦際に留めておくことができるのであり、貝類が水田の中央側に侵入することを防止することができる。
前述のように壁体により貝類を畦際に留めておくことができると、畦際の貝類を畦から容易に回収して駆除することができる。貝類を駆除する薬剤を水田に散布するとしても、畦際に留まった貝類に対して薬剤を容易に散布することができるのであり、少ない薬剤により貝類の駆除が行える。
【００２５】
［ＶＩＩ］
（構成）
本発明の第７特徴は、本発明の第６特徴の水田への水供給方法において次のように構成することにある。
前記壁体を前記貯水部から畦に沿って延出しておき、前記貯水部から溢れた水が前記壁体と畦との間を畦に沿って流れて、前記壁体の延出端部から水田に供給されるようにする。
【００２６】
（作用及び発明の効果）
本発明の第７特徴によると、前項［ＶＩ］に記載の壁体が貯水部から畦に沿って比較的長いものに構成される。
これにより、前項［ＶＩ］に記載のように、畦の外側に位置する水路から取水路を介して貯水部に水を供給する場合、貯水部からの水の勢いを壁体で十分に止めながら、貯水部からの水を、壁体と畦との間を畦に沿って流して、壁体の延出端部から水田に供給することができる。
【００２７】
従って、貯水部からの水が田面の苗に直接に当たるような状態をさらに防止することができるのであり、一部の貝類が貯水部を通過して取水路とは反対側の田面に侵入しようとしても、壁体により貝類を畦際に十分に留めておくことができるのであり、貝類が水田の中央側に侵入することをさらに防止することができる。
【００２８】
［ＶＩＩＩ］
（構成）
本発明の第８特徴は、本発明の第７特徴の水田への水供給方法において次のように構成することにある。
前記壁体において前記貯水部に隣接する部分から前記壁体の延出端部側に離れた部分に、前記貯水部から溢れて前記壁体と畦との間を畦に沿って流れる水を水田に供給する排水口を設置しておき、貝類が前記排水口から水田に出て行くのを阻止する阻止体を、前記排水口に設置しておく。
【００２９】
（作用及び発明の効果）
前項［ＶＩＩ］に記載のように、壁体が貯水部から畦に沿って比較的長いものに構成された場合、本発明の第８特徴によると、壁体の途中部分（壁体において、貯水部に隣接する部分と壁体の延出端部との間）に排水口を設置しておく。
これにより、前項［ＶＩＩ］に記載のように、畦の外側に位置する水路から取水路を介して貯水部に水を供給する場合、貯水部からの水を壁体の延出端部及び排水口から水田に円滑に供給することができる。
この場合、例えば網体等の阻止体を排水口に設置しておくことによって、貯水部を出た貝類が排水口を通って水田の中央側に侵入することを防止することができる。
【００３０】
［ＩＸ］
（構成）
本発明の第９特徴は、本発明の第７又は第８特徴の水田への水供給方法において次のように構成することにある。
前記壁体と畦との間の田面を、水田の中央側の田面よりも低くなるようにしておく。
【００３１】
（作用及び発明の効果）
前項［ＶＩＩ］［ＶＩＩＩ］に記載のように、畦の外側に位置する水路から取水路を介して貯水部に水を供給する場合、貝類が貯水部を出ても、貝類を低い（深い）畦際（壁体と畦との間）に十分に留めておくことができる（一般に水田において貝類は、水が十分にない部分（水深の浅い部分）を嫌がり、水が十分にある部分（水深が深い部分）に集まる習性がある点による）。
これにより、貝類が水田の中央側に侵入することを防止することができるのであり、貝類が壁体と畦との間から水田の中央側に侵入しても、貝類が再び低い（深い）畦際（壁体と畦との間）に戻ってくることが考えられる。
【００３２】
［Ｘ］
（構成）
本発明の第１０特徴は、本発明の第７，８，９特徴の水田への水供給方法うちのいずれか一つにおいて次のように構成することある。
前記壁体の延出端部を水田の明渠又は排水用の溝に近接させておく。
【００３３】
（作用及び発明の効果）
一般に水田において排水用の溝を形成することがあり、田面に種籾を播く稲の直播栽培方法においては排水用の溝に加えて、畦に沿って明渠（排水用の溝よりも深い）を形成することがある。
【００３４】
前項［ＶＩＩ］［ＶＩＩＩ］［ＩＸ］において、本発明の第１０特徴のように、壁体の延出端部を水田の明渠又は排水用の溝に近接させておくと、貯水部を出た貝類が壁体と畦との間から水田の中央側に侵入しようとすると、貝類は明渠又は排水用の溝に入り易い（一般に水田において貝類は、水が十分にない部分（水深の浅い部分）を嫌がり、水が十分にある部分（水深が深い部分）に集まる習性がある点による）。
このように貯水部を出た貝類を明渠又は排水用の溝に誘導することにより、発芽した芽や少し生長した軟らかい苗に貝類を接近させないようにすることができて、貝類による被害（食害）を少なくすることができる。
【００３５】
［ＸＩ］
（構成）
本発明の第１１特徴は、本発明の第７〜第１０特徴の水田への水供給方法うちのいずれか一つにおいて次のように構成することある。
貝類が前記壁体と畦との間から水田に入るのを阻止する阻止体を、前記壁体の延出端部に設置しておく。
【００３６】
（作用及び発明の効果）
本発明の第１１特徴によると、例えば網体等の阻止体を壁体の延出端部に設置しておくことによって、貯水部を出た貝類が壁体の延出端部から水田の中央側に侵入しようとしても、貝類を壁体の延出端部で止めることができるのであり、水田の中央側に侵入する貝類をさらに少なくすることができる。
【図面の簡単な説明】
【００３７】
【図１】代掻き作業の後に明渠を形成し（明渠形成工程）、貯水部を設置した状態を示す水田の平面図である。
【図２】図１において明渠に設置された貯水部の付近を示す水田の断面図である。
【図３】図１において明渠に設置された貯水部の付近を示す水田の平面図である。
【図４】（ａ）図１の後に水田を落水して、落水状態で種籾を播き（第１工程）、排水用の溝を形成した状態（溝形成工程）を示す水田の平面図である。（ｂ）図１の後に水田を落水して、落水状態で種籾を播き（第１工程）、排水用の溝を形成した状態（溝形成工程）での貯水部の付近を示す水田の平面図である。
【図５】図４の後に水田を落水して、落水状態で種籾を播き（第１工程）、排水用の溝を形成した状態（溝形成工程）を示す水田の断面図である。
【図６】図５の後に水田にかん水した状態（第２工程）を示す水田の断面図である。
【図７】図６の後に水田を落水した状態（第３工程）を示す水田の断面図である。
【図８】図７の後に水田にかん水した状態（第４工程）を示す水田の断面図である。
【図９】図１の後に水田を落水して、落水状態で種籾を播き（第１工程）、排水用の溝を形成した状態（溝形成工程）を示す水田の斜視図である。
【図１０】発明の実施の第８別形態において、（ａ）明渠及び排水用の溝を形成し、貯水部を設置した状態を示す水田の平面図である。（ｂ）明渠及び排水用の溝を形成し、貯水部を設置した状態を示す貯水部の付近の水田の平面図である
【図１１】発明の実施の第８別形態において、（ａ）明渠及び排水用の溝を形成し、貯水部を設置した状態を示す水田の平面図である。（ｂ）明渠及び排水用の溝を形成し、貯水部を設置した状態を示す貯水部の付近の水田の平面図である
【図１２】発明の実施の第８別形態において、（ａ）排水用の溝を形成し、貯水部を設置した状態を示す水田の平面図である。（ｂ）排水用の溝を形成し、貯水部を設置した状態を示す貯水部の付近の水田の平面図である
【発明を実施するための形態】
【００３８】
本発明の水田への水供給方法を適用した稲の直播栽培方法を、以下に説明する。稲の直播栽培方法は、明渠形成工程、第１工程、溝形成工程、第２工程、第３工程、第４工程を主たる工程として備えており、以下に、各工程について説明する。
一般に水田において貝類は、水が十分にない部分を嫌がり、水が十分にある部分に集まる習性がある。そして、発芽した芽や少し生長した軟らかい苗を好んで食べ、種籾やある程度生長した苗は好まない習性がある（種籾やある程度生長した苗は比較的硬い為と考えられる）。
【００３９】
［１］
（明渠形成工程）
水田にかん水する前の泥が少し乾いて硬くなっている状態において、図１及び図２に示すように畦塗り作業を行い、水田において畦３に近接する外周部分である畦際に、明渠４を形成する。明渠４は断面凹状又は断面半円状の深い溝であり、深さは田面１から２００〜３００ｍｍ程度に設定する（明渠形成工程）。
この場合、畦塗り装置に明渠形成装置を備えて、畦塗り作業と同時に明渠４を形成したり、畦塗り装置とは別の明渠形成装置により明渠４を畦塗り作業の前又は後に形成してもよい。
【００４０】
次に、以下に説明するような施設を水田に設置する。
図１，２，３に示すように、底部分８ａと外周の壁部材８ｂとを備えて構成された円筒状又は角筒状の貯水部８（板金製又は合成樹脂製）を用意して、貯水部８を明渠４に設置する。
この場合、底部分８ａを備えずに壁部材８ｂのみを備えた円筒状又は角筒状の貯水部８を使用してもよい。底部分８ａを備えない貯水部８を使用すると、貯水部８の壁部材８ｂの下端部と明渠４の底部分との間に隙間が生じないようにする必要がある。
【００４１】
図２及び図３に示すように、貯水部８の最高位置である天井部分８ｃ（田面１よりも高い位置に位置する部分に相当）（貯水部８から水が溢れる部分に相当）は、上方に開放された開口部を形成しており、網体１１（阻止体に相当）を貯水部８の天井部分８ｃに設ける。貯水部８の天井部分８ｃが田面１（水面２）よりも高い位置に位置するように、貯水部８の壁部材８ｂの高さを設定する。
【００４２】
図２及び図３に示すように、丸パイプ状の取水路１０を畦３に埋設して、畦３の外側に形成された水路９に取水路１０の入口部分１０ａを接続し、取水路１０の入口部分１０ａに網体１２（阻止体に相当）を設ける。取水路１０の出口部分１０ｂを、貯水部８の天井部分８ｃ（網体１１）を通過させて貯水部８の内部に挿入する。この場合、取水路１０の中間部分に網体１２を設けてもよい。
【００４３】
図１，２，３に示すように、貯水部８に対して取水路１０とは反対側の水田の部分（明渠４の水田の中央側の部分）に、壁体１３（板金製又は合成樹脂製）を設置し、壁体１３を貯水部８から畦３（明渠４）に沿って図３の紙面左方に延出するのであり（取水路８から貯水部８に供給される水の方向と交差する方向に相当）、壁体１３が田面１（水面２）よりも高い位置に位置するように、壁体１３の高さを設定する。
【００４４】
図３に示すように、壁体１３の中間部分（壁体１３において貯水部８に隣接する部分から壁体１３の延出端部１３ｂ側に離れた部分に相当）に、排水口１３ａを形成して、排水口１３ａに網体１４（阻止体に相当）を設け、壁体１３の延出端部１３ｂと畦３及び明渠４とに亘って、網体１５（阻止体に相当）を設ける。壁体１３の延出端部１３ｂとは反対側の端部と畦３及び明渠４とに亘って、壁体１６（板金製又は合成樹脂製）を設ける。
この場合、網体１４，１５が田面１（水面２）よりも高い位置に位置するように、網体１４の高さを設定し、網体１５は明渠４の底部分にも亘るように構成する。
【００４５】
［２］
次に、水田にかん水する状態について説明する。
前項［１］に記載のように、貯水部８を設置した後に、図２及び図３に示すように水田にかん水する。取水路１０を開けると、水が水路９から取水路１０を介して貯水部８の内部に入るのであり、貯水部８を溢れた水は貯水部８の天井部分８ｃ（網体１１）を通って水田に供給される。
【００４６】
貝類やゴミ等が水路９から取水路１０に侵入しようとした場合、取水路１０の入口部分１０ａ（網体１２）によって貝類やゴミ等が止められるのであり、取水路１０の入口部分１０ａ（網体１２）を通過した貝類は、取水路１０から貯水部８の内部に入る。
貯水部８の天井部分８ｃ（網体１１）が田面１よりも高い位置に位置しており貯水部８の水面である点（水深の浅い部分に相当）、貯水部８に水が十分にある点（貯水部８の水深が十分に深い点）、貯水部８の天井部分８ｃに網体１１を設けている点により、貯水部８に入った貝類は貯水部８から外に出て行き難く、貯水部８に残り易い。この場合、貯水部８の内部に、貝類駆除用の薬剤を事前に入れておいてもよい。
【００４７】
前述のように、貯水部８を溢れた水が貯水部８の天井部分８ｃ（網体１１）を通って水田に供給される場合、図３に示すように、貯水部８からの水は貯水部８の天井部分８ｃ（網体１１）から、紙面上方に流れる（貯水部８を通過して畦３とは反対側に流れる）。
図２及び図３に示すように、貯水部８からの水は壁体１３，１６に当たって勢いが止められるのであり、壁体１３と畦との間を畦３（明渠４）に沿って流れ、壁体１３の延出端部１３ｂ（網体１５）及び排水口１３ａ（網体１４）から水田に供給される。
【００４８】
この場合、一部の貝類が貯水部８の天井部分８ｃ（網体１１）を通過して水田に侵入しても、壁体１３，１６により貝類が止められるのであり、壁体１３，１６及び網体１４，１５に囲まれている点、及び、壁体１３，１６及び網体１４，１５により囲まれた部分が明渠４の一部であり水深が十分に深い点により（壁体１３，１６と畦３との間の田面１が水田の中央側の田面１よりも低い状態に相当）、貝類が畦際（明渠４）に留められて、貝類が水田の中央側に侵入することを防止することができる。
【００４９】
水田へのかん水の終了後（又は水田へのかん水の途中）、貯水部８を明渠４から畦３に取り出して貯水部８の貝類を回収したり、明渠４における貯水部８の付近（畦際）に薬剤を散布して貝類を駆除したりする。貯水部８を明渠４から畦３に取り出すことができない場合、畦３から貯水部８の貝類をつまみ出して回収したり、貯水部８の内部に薬剤を散布（投入）して貝類を駆除したりする。
【００５０】
［３］
（第１工程及び溝形成工程）
図１及び図２に示すように水田にかん水した後（前項［２］参照）、かん水状態（田面１の全てが水（水面２）で覆われるように、水田に十分に水を入れる状態）において、代掻き機を装備したトラクタにより水田の田面１を均平化する代掻き作業を行う。
この場合、代掻き機による耕耘（代掻き）作用により畦際の明渠４が崩れてしまう可能性があるので、畦際に明渠４を形成した後に、畦際の明渠４の内側（水田の中央側）に連続するように（又は所定間隔を置いて）、もう一つの明渠４（畦際の明渠４よりも深い（又は浅い）（又は同じ深さ））を形成しておいてもよい。
【００５１】
次に図４（ａ）に示すように、水田を落水して、落水状態（水田から完全に水を抜くのではなく、田面１に僅かに水が残る程度まで水を抜く状態（明渠４には十分な水が残る））の水田（田面１）に乗用型直播機により種籾６を播く（播種作業）（第１工程）。
図４（ａ），５，９に示す状態は、鉄コーティング処理された種籾６を使用した状態であり、田面１の上方から種籾６を自由落下させて田面１の表面に置くように種籾６を播く表面播き状態を示しており、複数粒の種籾６を所定間隔を置いて播く点播状態を示している。
【００５２】
乗用型直播機の直播装置に除草剤散布用の薬剤散布装置及び溝切り器を備えて、種籾６を播きながら、田面１への除草剤の散布及び排水用の溝５の形成を行う。排水用の溝５は断面Ｖ字状で、明渠４よりも十分に浅いものである（田面１から１００ｍｍ程度の深さ）（溝形成工程）。
【００５３】
この場合、明渠形成装置に除草剤散布用の薬剤散布装置を備えて、前項［１］に記載のように、明渠４の形成を行いながら、除草剤の散布を行うようにしてもよい。明渠４の形成の後で水田のかん水の前、又は水田のかん水の後で代掻き作業の前、又は代掻き作業の後で第１工程の前に、作業者が手で除草剤の散布を行ってもよい。
【００５４】
図４（ｂ）に示すように、排水用の溝５を形成する場合に、排水用の溝５と壁体１３の排水口１３ａ（網体１４）及び延出端部１３ｂ（網体１５）とが近接するようにすればよい。これにより、貯水部８を出た貝類が壁体１３の排水口１３ａ（網体１４）及び延出端部１３ｂ（網体１５）を通過しても、貝類は排水用の溝５に入り易い（一般に水田において貝類は、水が十分にない部分（水深の浅い部分）を嫌がり、水が十分にある部分（水深が深い部分）に集まる習性がある点による）。
【００５５】
乗用型直播機による種籾６の播種作業を行う場合、畦３に沿った一回の播種工程が終了すると、直播装置を田面１から上昇させて畦際での旋回を行い、旋回の終了後に直播装置を田面１に下降させて次の播種工程に入る。
この場合、乗用型直播機の旋回により明渠４が崩れてしまう可能性があるので、第１工程の終了後、作業者が手作業で明渠４と排水用の溝５とがつながるように、排水用の溝５を明渠４まで延ばしたり、崩れた明渠４を修復したりする。
【００５６】
［４］
（第２工程）
図６に示すように、第１工程の次に水田にかん水して（前項［２］参照）、かん水状態を第１所定期間だけ維持する（第２工程）。このように第１工程の後に水田にかん水することにより、雑草の発生を抑えることができるのであり、除草剤が水田の各部に均一に広がることになるので、除草剤により雑草の発生を有効に抑えることができる。
【００５７】
貝類が水田の中央側に侵入していた場合、水田にかん水すると貝類が水田を自由に移動できる状態となるが、種籾６はまだ発芽していないので、貝類による食害は発生し難い（貝類は種籾を好まない）。第１所定期間は、直播から種籾６が発芽する少し前までの期間であり、例えば九州地方等のように比較的温暖な地域（比較的温暖な日程）では、第１所定期間として４日程度が目安となる。
【００５８】
鉄コーティング処理された種籾６を使用する場合、直播装置の直播による機械的な衝撃を受けても崩壊しない種籾６の強度及び鉄コーティングの強度を備えており、水に触れても崩壊しない鉄コーティングの強度を備えている。
第２工程において、水が鉄コーティングに浸入するのであり、侵入した水及び積算温度（気温とその気温が維持された時間との積を直播後から積算したもの）の上昇により、催芽状態になった種籾６が鉄コーティングを割り、その後の水の作用により種籾６から鉄コーティングが剥がれる。
【００５９】
［５］
（第３工程）
第２工程の次に種籾６が発芽する状態になると、図７に示すように水田を落水する。この場合、明渠４よりも浅い排水用の溝５を明渠４に接続させて水田の中央側に形成しているので、排水用の溝５を介して水田の中央側の水を明渠４に円滑に案内することができるのであり、水田の中央側に水が十分にある部分が残るような状態を少なくすることができる。
【００６０】
この後、落水状態を第２所定期間だけ維持するのであり（第３工程）、第２所定期間において種籾６を発芽させて、ある程度まで苗を生長させる（貝類が好まない状態まで苗を生長させる）。
貝類が水田の中央側に侵入していた場合、第３工程において貝類が好む発芽した芽や少し生長した軟らかい苗が存在する状態となるが、落水により種籾６（苗）の周囲は水が十分にない状態となり、明渠４に十分な水が残る状態となるので、貝類は明渠４に集まり種籾６（苗）に接近することはなく、貝類による食害は発生し難い（貝類が発芽した芽や少し生長した軟らかい苗を食べることは少ない）。
【００６１】
一般に、ある程度生長した苗（貝類が好まない状態まで生長した苗）とは、第１，２，３葉が出てきて、背丈が約７０ｍｍ〜１５０ｍｍ程度に生長した苗であり、比較的温暖な地域（比較的温暖な日程）では発芽から約１週間程度（第２所定期間）、あまり温暖でない地域（あまり温暖でない日程）では発芽から約２〜３週間程度（第２所定期間）の日数が必要と考えられる。
【００６２】
［６］
（第４工程）
第３工程において、種籾６を発芽させてある程度まで苗を生長させると（貝類が好まない状態まで苗を生長させると）、図８に示すように水田にかん水して（第４工程）、雑草の発生を抑える。
貝類が水田の中央側に侵入していた場合、水田にかん水すると貝類が水田を自由に移動できる状態となるが、ある程度生長した苗は比較的硬いので、貝類による食害は発生し難い（貝類はある程度生長した苗を好まない）。
【００６３】
［発明の実施の第１別形態］
前述の［発明を実施するための形態］の表面播き状態において、種籾６を田面１に連続的に置くように播く条播状態としてもよい。
鉄コーティング処理された種籾６に代えて、カルパコーティング処理された種籾６を使用する場合には、作溝器により田面１に小さく浅い溝を形成しながら、この溝に種籾６を点播状態又は条播状態で送り込んで播いていき、種籾６に対して覆土を行う。
前項［４］に記載の第１所定期間と、前項［５］に記載の第２所定期間において、本発明を実施する地方や日程が異なれば、第１及び第２所定期間が同じ長さになったり、第１所定期間が第２所定期間よりも長くなったりすることがある。
【００６４】
［発明の実施の第２別形態］
前述の［発明を実施するための形態］［発明の実施の第１別形態］において、明渠形成工程を代掻き作業後のかん水状態で行ってもよく、第１工程と同時（第１工程中）や第１工程の後に行ってもよい。
【００６５】
明渠形成工程を代掻き作業後のかん水状態で行う場合に、畦塗り作業の後のかん水状態において、代掻き機を装備したトラクタにより水田の田面１を均平化する代掻き作業を行い、次に明渠４を形成する。
次に水田を落水して、落水状態の水田（田面１）に乗用型直播機により種籾６を播く（播種作業）（第１工程）。この場合、第１工程に代掻き作業が含まれない状態と、第１工程に代掻き作業が含まれる状態とが想定される。
【００６６】
明渠形成工程を第１工程と同時（第１工程中）に行う場合、直播装置に明渠形成装置及び溝切り器を備えて、種籾６を播きながら明渠４及び排水用の溝５を同時に形成したり、第１工程中において水田を落水してから種籾６を播く前や、種籾６を播いた後で第２工程に入る前に、直播装置とは別の専用の明渠形成装置により明渠４を形成してもよい。
【００６７】
明渠形成工程を第１工程の後に行う場合、第２工程中（第２所定期間中）、第３工程中（種籾６の発芽前や発芽後）、第４工程中、第４工程以後に明渠形成装置により明渠４を形成してもよい。
【００６８】
［発明の実施の第３別形態］
前述の［発明を実施するための形態］［発明の実施の第１別形態］［発明の実施の第２別形態］において、溝形成工程を第１工程の前に行ってもよく、第１工程と同時（第１工程中）や第１工程の後に行ってもよい。
【００６９】
溝形成工程を第１工程の前に行う場合、代掻き作業の後で第１工程に入る前に、溝形成装置により排水用の溝５を形成してもよい。第１工程の前に明渠形成工程も行う場合、明渠形成工程と同時や、明渠形成工程の前又は後に溝形成工程を行う。
【００７０】
溝形成工程を第１工程と同時（第１工程中）に行う場合、種籾６を播きながら排水用の溝５を同時に形成するのではなく、第１工程中において水田を落水してから種籾６を播く前や、種籾６を播いた後で第２工程に入る前に、直播装置とは別の溝形成装置により排水用の溝５を形成してもよい。第１工程中に明渠形成工程も行う場合、明渠形成工程と同時や、明渠形成工程の前又は後に溝形成工程を行う。
【００７１】
溝形成工程を第１工程の後に行う場合、第２工程中（第２所定期間中）、第３工程中（種籾６の発芽前や発芽後）、第４工程中、第４工程以後に溝形成装置により排水用の溝５を形成してもよい。第１工程の後に明渠形成工程も行う場合、明渠形成工程と同時や、明渠形成工程の前又は後に溝形成工程を行う。
前述の明渠形成装置及び溝形成装置として、明渠４及び排水用の溝５を形成することができる１輪式の溝切機（（株）丸山製作所の商品名：田面ライダー）を使用すればよい。
【００７２】
［発明の実施の第４別形態］
前述の［発明を実施するための形態］［発明の実施の第１別形態］〜［発明の実施の第３別形態］において、明渠４の複数箇所に部分的に深い部分を形成して、この深い部分に餌（キャベツの葉等）を入れておき、貝類が水田の中央側に侵入していた場合、第３工程において貝類を明渠４の餌の在る部分に誘導するようにしてもよい。
【００７３】
［発明の実施の第５別形態］
前述の［発明を実施するための形態］［発明の実施の第１別形態］〜［発明の実施の第４形態］において、明渠４を一定の深さではなく、一方向に少しずつ深くなるように構成してもよい。
このように構成すると、貝類が水田の中央側に侵入していた場合、貝類を明渠４の一箇所に誘導することができ、畦３からの貝類の回収が容易に行える。特に前述の［発明の実施の第４別形態］に記載のように、明渠４に餌の在る部分を設定した場合、明渠４の餌のある部分に近づくほど少しずつ深くなるように形成すると、第３工程において貝類を明渠４の餌の在る部分にさらに良く誘導することができる。
【００７４】
［発明の実施の第６別形態］
前述の［発明を実施するための形態］［発明の実施の第１別形態］〜［発明の実施の第５形態］において、排水用の溝５を一定の深さではなく、少しずつ深くなりながら明渠４に接続されるように構成してもよい。このように構成すると、水田を落水する場合、排水用の溝５から明渠４への水の流れが一方向になるので、貝類が水田の中央側に侵入していた場合、貝類を排水用の溝５から明渠４に確実に誘導することができる。
【００７５】
［発明の実施の第７別形態］
前述の［発明を実施するための形態］［発明の実施の第１別形態］〜［発明の実施の第６形態］において、貯水部８の付近の明渠４の部分を明渠４の他の部分よりも深いものに形成して、貯水部８を出た貝類が貯水部８の壁部材８ｂの外側周辺に集まるようにしてもよい。
取水路１０とは別の排水路（図示せず）を明渠４に接続するように構成した場合、排水路と明渠４との接続部分を明渠４よりも深いものに形成してもよい。
【００７６】
［発明の実施の第８別形態］
前述の［発明を実施するための形態］［発明の実施の第１別形態］〜［発明の実施の第７形態］において、明渠４及び排水用の溝５を以下のように形成してもよい。
図１０（ａ）（ｂ）に示すように、畦塗り作業、かん水状態での代掻き作業を行い、この後に明渠４の形成及び水田の落水を行った後、専用の溝形成装置により水田の長手方向に沿って多数の排水用の溝５を形成する。次に排水用の溝５と交差する方向に複数の排水用の溝７を、明渠４の近くや明渠４から離れた田面１の中央側に形成する。
この後、壁体１３の排水口１３ａ（網体１４）及び延出端部１３ｂ（網体１５）が排水用の溝５，７に近接するように、貯水部８を明渠４に設置する（前項［１］参照）。
【００７７】
図１１（ａ）（ｂ）に示すように、畦塗り作業、明渠４の形成を行い、この後にかん水状態での代掻き作業を行い、水田の落水を行うと、代掻き作業により明渠４が少し崩れて埋まった状態となることがあるのであり、この状態において専用の溝形成装置により水田の長手方向に沿って多数の排水用の溝５を形成する。次に排水用の溝５と交差する方向に複数の排水用の溝７を、明渠４の近くや明渠４から離れた田面１の中央側に形成する。
この後、壁体１３の排水口１３ａ（網体１４）及び延出端部１３ｂ（網体１５）が排水用の溝５，７に近接するように、貯水部８を明渠４に設置する（前項［１］参照）。
【００７８】
図１２（ａ）（ｂ）に示すように、明渠４の形成を行わずに、畦塗り作業、かん水状態での代掻き作業、水田の落水を行った後、専用の溝形成装置により水田の長手方向に沿って多数の排水用の溝５を形成する。次に排水用の溝５と交差する方向に複数の排水用の溝７を、畦３の近くや畦３から離れた田面１の中央側に形成する。
【００７９】
この後、壁体１３の排水口１３ａ（網体１４）及び延出端部１３ｂ（網体１５）が排水用の溝５，７に近接するように、貯水部８を畦際に設置する（前項［１］参照）。この場合、畦際の田面１を他の田面１よりも少し深くなるように掘り、この畦際の田面１に貯水部８を設置してもよい（壁体１３，１６と畦３との間の田面１が水田の中央側の田面１よりも低い状態に相当）。
【００８０】
図１０（ａ），１１（ａ），１２（ａ）において、排水用の溝７は排水用の溝５のように多数形成する必要はない。排水用の溝５，７は等ピッチで形成する必要はなく、落水状態において田面１に水が残っている部分を通過するように形成してもよい。このように排水用の溝５，７を形成すると、排水用の溝５，７は等ピッチに配置される状態ではなくなる。
【００８１】
前述のように排水用の溝５，７を形成した後に、乗用型直播機の直播装置に除草剤散布用の薬剤散布装置を備えて種籾６を播きながら、田面１への除草剤の散布を行う。この場合に、排水用の溝５，７により田面１から水が十分に排水された状態で種籾６が播かれるので、種籾６への酸素の供給が水により妨げられることがなく、種籾６の発芽率が向上する。
【産業上の利用可能性】
【００８２】
本発明は、水田に水を供給する際において、貝類の食害を避けることができる水田への水供給方法に適用することができる。
【符号の説明】
【００８３】
１      田面
３      畦
４      明渠
５，７  排水用の溝
８      貯水部
８ｂ    壁部材
８ｃ    天井部分
９      水路
１０    取水路
１１    阻止体
１２    阻止体
１３    壁体
１３ａ  排水口
１３ｂ  延出端部
１４    阻止体
１５    阻止体
【図１】
2014064532.tif 000003
【図２】
2014064532.tif 000004
【図３】
2014064532.tif 000005
【図４】
2014064532.tif 000006
【図５】
2014064532.tif 000007
【図６】
2014064532.tif 000008
【図７】
2014064532.tif 000009
【図８】
2014064532.tif 000010
【図９】
2014064532.tif 000011
【図１０】
2014064532.tif 000012
【図１１】
2014064532.tif 000013
【図１２】
2014064532.tif 000014